(57)【要約】【課題】カートン本体内でのフィルム巻き体の後面部側への転がり移動を生じさせ難くし、ラップフィルムの切断部分の巻き戻しを抑えて引き出しが容易に行なえるようにする。【解決手段】底面部４から後面部５にかけて傾斜面部１６が位置し、傾斜面部１６のカートン本体２の長手方向に沿った断面形状をフィルム巻き体収納空間１０中心側に向けて凸となるように曲成して、傾斜面部１６をフィルム巻き体の周面に摺接可能にした。【選択図】    図３
2005022746.tif 000002
【特許請求の範囲】
【請求項１】
有底にして上面部が開口した横長のカートン本体に、巻き芯にラップフィルムを巻いたフィルム巻き体が収納され、前記カートン本体の後面部に連接されてカートン本体の前記上面部を開閉可能に覆う蓋体に、カートン本体の前面部に重なる垂れ壁部が連接され、フィルム引き出し時にフィルム巻き体が回転して、前面部の上端を介してフィルム巻き体から引き出されたラップフィルムが、上面部を蓋体で閉じたときに蓋体の前記垂れ壁部と前面部との間に位置し、垂れ壁部の下端に亘って設けた切断刃によってラップフィルムを切断可能とするラップフィルムの収納カートンにおいて、
底面部から後面部にかけて傾斜面部が位置し、該傾斜面部のカートン本体の長手方向に沿った断面形状をフィルム巻き体収納空間中心側に向けて凸となるように曲成して、傾斜面部がフィルム巻き体の周面に摺接可能に設けられていることを特徴とするラップフィルム収納カートン。
【請求項２】
上記傾斜面部は、底面部と後面部との間であってカートン本体の側面部側を除いて折り部で囲まれた領域を、フィルム巻き体収納空間側に凸となるように折り起こしてなるものであり、この傾斜面部が前記折り部を介して底面部と後面部とに一体に連続している請求項１に記載のラップフィルム収納カートン。
【請求項３】
上部垂れ壁部の下端に分離可能に連接され、かつ上記前面部に分離可能に貼り付けられた切断刃保護兼開封片部が、上記前面部の下端高さ位置から下方に突出し、上記傾斜面部の下端と前記切断刃保護兼開封片部の下端とが接地して上記蓋体が略水平となる構成とした請求項２に記載のラップフィルム収納カートン。
【請求項４】
上記傾斜面部は、カートン本体の長手方向に沿った長尺な起立片を底面部側から折り起こして後面部に支持させてなるものである請求項１に記載のラップフィルム収納カートン。
【請求項５】
上記起立片は、カートン本体の底面部に貼り付けられた別部材に設けられているものである請求項４に記載のラップフィルム収納カートン。
【請求項６】
上記底面部に、外方に突出する複数条のリブがカートン長さ方向に亘って設けられている請求項１から５の何れか一項に記載のラップフィルム収納カートン。
【発明の詳細な説明】
【技術分野】
【０００１】
本発明はラップフィルムを収納した収納カートンに関するものである。
【背景技術】
【０００２】
従来からラップフィルムは食品を直接包み込んだり、食品を盛った皿に被せたりするなどのように簡易保存のための包装目的に一般家庭で広く使用されている。そして、ラップフィルムは巻き芯に巻いたフィルム巻き体の形態とされ、流通や一般家庭での保管が衛生的なものとなるように細長の箱体に収められているのが通常であり、有底にして上面部が開口した横長のカートン本体にフィルム巻き体を収納するとともに、そのカートン本体の後面部に連接されてカートン本体の上面部を開閉可能に覆う蓋体に、カートン本体の前面部に重なる垂れ壁部を連接した形態が一般的である。
また、このラップフィルム収納カートンでは、ラップフィルムを引き出すときにフィルム巻き体がカートン本体内で回転し、前面部の上端を介してフィルム巻き体から引き出したラップフィルムを、閉じた蓋体の垂れ壁部と前面部との間に位置させて挟み込み、その後、カートン本体全体をひねるように回転させるなどすることによって垂れ壁部の下端に亘って設けた切断刃に鋭角に当てて切断しており、他の切断用具を用意することなくラップフィルムを必要長さに簡単に切断できるようにしていた。
このようにラップフィルム収納カートンではラップフィルムの切断が容易に行なえるものとなっているが、切断した後のカートン本体を取り扱う操作でフィルム巻き体が後面部側に転がり移動してフィルム巻き体側のラップフィルムの切断部分がカートン本体内へ巻き戻されることがあり、そうなるとつぎのラップフィルムの引き出しが行い難くなることから、カートン本体の前面部の外表面に、ラップフィルムの切断部分を止め付けることができるようにした工夫が多く提案されている（例えば、特許文献１参照）。
【特許文献１】特開平０６−２４７４４２号公報（段落番号００１４、図１）
【発明の開示】
【発明が解決しようとする課題】
【０００３】
しかしながら、上述したカートン本体の前面部にフィルム止め付け手段を備えるものでは、フィルム巻き体側の切断部分がこのフィルム止め付け手段にぴったりと貼り付いた状態となってしまい、この部分から切断部分を捲り上げることが容易には行なえなくなってしまう問題がある。
そこで本発明は上記事情に鑑み、カートン本体内でのフィルム巻き体の後面部側への転がり移動を生じさせ難くすることを課題とし、ラップフィルムの切断部分の巻き戻しを抑えて引き出しが容易に行なえるようにすることを目的とする。
【課題を解決するための手段】
【０００４】
本発明は上記課題を考慮してなされたもので、有底にして上面部が開口した横長のカートン本体に、巻き芯にラップフィルムを巻いたフィルム巻き体が収納され、前記カートン本体の後面部に連接されてカートン本体の前記上面部を開閉可能に覆う蓋体に、カートン本体の前面部に重なる垂れ壁部が連接され、フィルム引き出し時にフィルム巻き体が回転して、前面部の上端を介してフィルム巻き体から引き出されたラップフィルムが、上面部を蓋体で閉じたときに蓋体の前記垂れ壁部と前面部との間に位置し、垂れ壁部の下端に亘って設けた切断刃によってラップフィルムを切断可能とするラップフィルムの収納カートンにおいて、底面部から後面部にかけて傾斜面部が位置し、該傾斜面部のカートン本体の長手方向に沿った断面形状をフィルム巻き体収納空間中心側に向けて凸となるように曲成して、傾斜面部がフィルム巻き体の周面に摺接可能に設けられていることを特徴とするラップフィルム収納カートンを提供して、上記課題を解消するものである。
【０００５】
本発明において、上記傾斜面部は、底面部と後面部との間であってカートン本体の側面部側を除いて折り部で囲まれた領域を、フィルム巻き体収納空間側に凸となるように折り起こしてなるものであり、この傾斜面部が前記折り部を介して底面部と後面部とに一体に連続しているものとすることが可能であり、そして、上部垂れ壁部の下端に分離可能に連接され、かつ上記前面部に分離可能に貼り付けられた切断刃保護兼開封片部が、上記前面部の下端高さ位置から下方に突出し、上記傾斜面部の下端と前記切断刃保護兼開封片部の下端とが接地して上記蓋体が略水平となる構成とすることが良好である。
また、本発明において、上記傾斜面部は、カートン本体の長手方向に沿った長尺な起立片を底面部側から折り起こして後面部に支持させてなるものものとすることが可能であり、その起立片は、カートン本体の底面部に貼り付けられた別部材に設けられているものとすることも可能である。
さらに上記底面部に、外方に突出する複数条のリブがカートン長さ方向に亘って設けるようにすることも良好である。
【発明の効果】
【０００６】
本発明により、フィルム切断などのカートン取り扱いの時点で、フィルム巻き体が前面部側から後面部側に転がり回転しかけたとしても、傾斜面部にフィルム巻き体が早期に当接してその転がり回転を止めるようになり、ラップフィルム引き出し時の回転とは逆の回転を抑えてラップフィルムの巻き戻りを生じさせないようになる。よって、フィルム切断後は切断部分がカートン本体の外方に位置しているため、つぎのラップフィルムの引き出し操作が簡単になる。
そして、傾斜面部を、カートン本体の底面部から後面部にかけての領域をフィルム巻き体収納空間側に凸となるように折り起こしたものとすれば、カートン本体の外方側からはその傾斜縁部が凹部となり、カートンを手持ちするときに鋭角な部分が指に掛からず持ち易い形態となる。また、傾斜面部を別部材の起立片を折り起こしてなるものとすれば、カートン本体の底面部や後面部での膨らみを最小限にすることができて、たわみを目立たせることがない。さらに、底面部に、外方に突出する複数条のリブをカートン長さ方向に亘って設けるようにすれば、ラップフィルム収納カートンを持ったときの手の指先などに前記リブが掛かり、持ち易さをより一層向上させることができるようになるなど、実用性に優れた効果を奏するものである。
【発明を実施するための最良の形態】
【０００７】
つぎに本発明を図１から図１４に示す実施の形態に基づいて詳細に説明する。
図中１はラップフィルム収納カートンで、図１に示すように該ラップフィルム収納カートン１は、フィルム巻き体Ａを収納するために横長としたカートン本体２を前面部３と底面部４と後面部５と両端の側面部６とから構成して上面部７を開口したものとし、前記後面部５の上辺に上面部７を開閉可能に覆う蓋体８を連接し、さらにこの蓋体８に垂れ壁部９を連接して蓋体８が上面部７を閉じているときに垂れ壁部９が前記前面部３に重なるようにしている。
また、ラップフィルム収納カートン１では、フィルム引き出し時にカートン本体２のフィルム巻き体収納空間１０の内でフィルム巻き体Ａが回転して、前面部３の上端を介してフィルム巻き体ＡからラップフィルムＢが引き出され、上面部７を蓋体８で閉じたときには前記垂れ壁部９と前面部３との間にラップフィルムＢが位置し、垂れ壁部９を前面部３に重ねた状態のままラップフィルム収納カートン１全体をひねるように回転操作することでこのラップフィルムＢを切断することができるようにするために、垂れ壁部９の下端に亘って切断刃１１が取り付けられている。
さらにラップフィルム収納カートン１には、蓋体８の端部から降りて上記垂れ壁部９の両側に連続するように位置する横垂れ壁部１２があり、上面部７を閉じたときにはこの横垂れ壁部１２が側面部６に重なるものである。さらに垂れ壁部９の下端には分離可能にして切断刃保護兼開封片部１３が連接されている。切断刃保護兼開封片部１３はこのラップフィルム収納カートン１が未使用の時点まで上記前面部３に分離可能に貼り付けられて切断刃１１を保護するものであり（図２参照）、この切断刃保護兼開封片部１３を取り除くことで蓋体８の開きが可能となり、切断刃１１も表出するようになる。
なお、上記側面部６それぞれには折込み１４が位置してフィルム巻き体収納空間１０側に折り入れられ、フィルム巻き体Ａが持ち上がるときに巻き芯Ｃに折込み１４が係止してカートン本体２から飛び出るのを防止するようにしている。また、上記前面部３の上辺にはフィルム巻き体収納空間１０側に折り倒された案内片部１５が連接されていて、この案内片部１５は、フィルム引き出し時に前面部３、底面部４、後面部５、上面部７の順に周面が巡るように回転するフィルム巻き体Ａの頂部からラップフィルムＢが適正に離れて前面部３の上辺に達するようにするために、下方からラップフィルムＢを支持するものである。
【０００８】
このラップフィルム収納カートン１のフィルム巻き体収納空間１０は、フィルム巻き体Ａの後面部５側への転がり移動を抑えるための傾斜面部１６を備えている。前記傾斜面部１６は、底面部４から後面部５にかけて位置していて、この傾斜面部１６を備えるラップフィルム収納カートン１を展開したブランクの状態が図４に示されている。
ブランクで示すようにラップフィルム収納カートン１では、折り罫１７を介して案内片部１５と前面部３と底面部４が連接され、底面部４と後面部５とがカートン本体長手方向での両端側で折り罫１７を介して連接され、さらに後面部５と蓋体８と垂れ壁部９とが折り罫１７を介して連接されている。また、前面部３、底面部４、後面部５のぞれぞれの端部には側面部６を形成するためのフラップが連接され、蓋体８と垂れ壁部９とのそれぞれの端部には横垂れ壁部を形成するためのフラップが連接されている。なお、ブランクの状態では上記切断刃１１は図示していない。
そして、上記傾斜面部１６は、底面部４と後面部５との間であってカートン本体２の側面部６側の端部を除いて一対の緩やかな弧状の折り罫１７で囲まれた領域を、フィルム巻き体収納空間１０側に凸となるように折り起こしてなるものであり、この傾斜面部１６は前記折り罫１７を介して底面部４と後面部５とに一体に連続しているものとなっている。
【０００９】
上記傾斜面部１６は上述したように、一対の緩やかな弧状の折り罫１７で囲まれた領域を折り起こしたものであることにより、カートン本体２の長手方向に沿った断面形状をフィルム巻き体収納空間１０の中心側に向けて凸となるように曲成され、傾斜面部１６の突出度合いは、ラップフィルムが引き出されていない未使用の時点でその突出端１８が、前面部３に接触しているフィルム巻き体Ａの周面（即ち、周面に位置するラップフィルム）に当接する状態が良好である（図５）。そして突出端１８はカートン本体２の他の面部の内面と同様にフィルム巻き体Ａの周面に摺接可能に設けられていて、フィルム巻き体Ａが引き出し時に回転してもラップフィルムＢに傷を付けないものである。また、緩やかに曲がる面上での一点で接触するため、製造時のフィルム巻き体Ａのカートン本体２への充填に際しても傷などが生じることはない。
なお、図５においては、カートン本体２とフィルム巻き体Ａとを透視状態で概略的に示している。
【００１０】
このように傾斜面部１６はフィルム巻き体収納空間１０に向けて凸となるように曲成されて突出しており、これによってフィルム巻き体Ａが前面部３から後面部５側に転がり移動を抑える働きをする。例えば、ラップフィルムＢがあまり引き出されていないフィルム巻き体Ａに対しては、図６に示すように、前面部３とこの傾斜面部１６とに接触した状態で後面部５との間に僅かな隙間があったとした場合でも、ラップフィルムＢを切断した後のカートン本体２の傾きによっては、フィルム巻き体Ａを後面部５側に転がり移動させようとする力が働くが、接触している傾斜面部１６を登る方向の転がり回転となるために移動が止められて、後面部５に接触するまでの転がり移動が生じず、よってラップフィルムＢの切断部分を引き込む逆回転が起きないことになり、ラップフィルムＢの巻き戻しを防止できる。
なお、ラップフィルム収納カートン１を通常に取り扱う状態では、上述した状態や後述する状態でのフィルム巻き体Ａが後面部５側に転がり移動させようとする力は小さく、また、重力方向に対する傾斜面部１６の傾斜も大きく伏した状態となるものではない。
さらに、傾斜面部１６の内面全体はラップフィルムＢに傷を付けない摺接状態が得られる表面構成であり、突出端１８が当接した状態でラップフィルムＢの引き出しが適正に行なえることから、突出端１８が当接している状態でフィルム巻き体Ａが逆方向に自転することも許容するものであるが、この逆方向への自転は生じないものである。
【００１１】
フィルム巻き体Ａの巻き径が小さくなれば、図７に示すようにそのフィルム巻き体Ａが前面部３と底面部４との二面に接触している状態で傾斜面部１６から離れる状態となり、後面部５側に向けてフィルム巻き体Ａを転がり移動させる力によって転がる場合が生じてくる。しかし、この場合でも転がり移動し始める初期の時点で傾斜面部１６に接触することとなり、その転がり移動が止められることになる。よって、この場合でもラップフィルムＢの巻き戻りを確実に抑えることができる。
このように上記傾斜面部１６がカートン本体２の長手方向に沿った断面形状をフィルム巻き体収納空間１０の中心側に向けて凸となるように曲成され、フィルム巻き体Ａの周面に摺接可能に設けられているので、フィルム巻き体Ａの巻き径が小さくなっても、そのフィルム巻き体Ａと傾斜面部１６との接触によって後面部５側への転がり移動の移動量を小さくするようになり、ラップフィルムＢの巻き戻りを抑えてつぎの引き出し操作が簡単に行なえるようになる。
なお、フィルム巻き体Ａの巻き径に対してラップフィルムＢの巻き部分はそれ程大きなものではない。そのため、ラップフィルムＢの引き出し終了となるまでは、巻き径が小さくなったとしても底面部４上を前面部３側から傾斜面部１６に当たるまでの転がり移動量は長くならず、傾斜面部１６による上記の働きは十分に発揮される。
【００１２】
上記傾斜面部１６は底面部４と後面部５の間を折り起こしたものであることから、カートン本体２の外方からみたときには凹部として形成されている。そして、この部分はラップフィルム収納カートン１を大人が親指を垂れ壁部９から蓋体８に渡るように掛けて手で持ったときには指部分がこの凹部に位置するようになり（図８）、よって、カートン本体２の鋭角に角張った部分が指に乗らないようになってラップフィルム収納カートン１を持ち易くし、ラップフィルムＢを切断操作するときなどの操作性が頗る向上するようになる。
【００１３】
図９から図１２は第二の例示している。この例では上記傾斜面部１６の下端中央が平らとなるようにしているもので、底面部４を上にした図９と図１０に示すように傾斜面部１６と底面部４との間の折り罫１７の中央部分を直線としている。傾斜面部１６内の折り罫１７は、直線部分の折り罫１７からの折り起こしを容易にするための補助の折り罫である。
また、この例では底面部４にカートン長さ方向に亘って型押しして外方に突出する複数条のリブ１９が設けられており、ラップフィルム収納カートン１を持ったときに指先がこのリブ１９に掛かり、持ち易さをより一層向上させている（図１０、図１１）。
さらに、このラップフィルム収納カートン１では、上記切断刃保護兼開封片部１３が、上記前面部３の下端高さ位置から下方に突出していて、傾斜面部１６の直線状とした下端と切断刃保護兼開封片部１３の下端とが接地することで、蓋体８が略水平となる構成にしている。これによって、図１２に示すように未開封状態の複数本のラップフィルム収納カートン１を積み重ねた場合でも重ね状態が安定するようになる。
【００１４】
上記各実施の例では、傾斜面部１６は底面部４と後面部５との間の領域を折り起こすことで形成しているが、カートン本体２を含むブランクとは別部材によって形成するようにしてもよい。図１３に示すようにカートン本体２の長手方向に沿った長尺な起立片２０を折り罫１７を介して備えるスロープパネル２１を、起立片２０が底面部４から後面部５に重なる位置にした状態で底面部４に重ね、起立片２０を除くスロープパネル２１を底面部４に貼着する。なお、このようにすれば、ブランクの時点で一枚のスロープパネル２１が重ね合された偏平な形態であり、製函前の管理が容易になる。
そして、製函時に底面部４に対して後面部５が折り曲げられるときに上記起立片２０が後面部５に押されてスロープパネル２１上の折り罫１７の位置から折り起こされて（図１４）、カートン本体２の長手方向の断面がフィルム巻き体収納空間１０側に凸となる断面で曲成された傾斜面部１６が得られる。この傾斜面部１６は後面部５に支持されており、転がり移動したフィルム巻き体Ａが当接しても倒れることはなく、上記実施の例の傾斜面部１６と同じ機能を有するものである。
なお、この例では別部材であるスロープパネル２１の起立片２０を折り起こして傾斜面部１６を得るようにしているため、起立片２０基端中央が下方に落ち込む度合いが小さく、よって底面部４の膨らみは小さく、さらに起立片２０と後面部５とは当接しているだけであるため、この後面部５の外方への膨らみは生じない。図１４はカートン本体２とスロープパネル２１とフィルム巻き体Ａとを透視状態で概略的に示している。
【図面の簡単な説明】
【００１５】
【図１】本発明に係るラップフィルム収納カートンの一例をカートン本体上面部が開の状態で示す説明図である。
【図２】一例の未開封状態を示す説明図である。
【図３】フィルム巻き体を取り外してフィルム巻き体収納空間を示す説明図である。
【図４】一例をブランクで示す説明図である。
【図５】カートン本体及び傾斜面部とフィルム巻き体との位置関係を透視状態で概略的に示す説明図である。
【図６】フィルム巻き量が多い状態でのフィルム引き出しを示す説明図である。
【図７】フィルム巻き量が少ない状態でのフィルム引き出しを示す説明図である。
【図８】一例を手持ちした状態を示す説明図である。
【図９】他の例における底面部側を示す説明図である。
【図１０】他の例におけるブランクを示す説明図である。
【図１１】他の例を手持ちした状態を示す説明図である。
【図１２】他の例を積み重ねた状態を示す説明図である。
【図１３】さらに他の例におけるブランクとスロープパネルとの重ねを示す説明図である。
【図１４】他の例におけるカートン本体及び傾斜面部とフィルム巻き体との位置関係を透視状態で概略的に示す説明図である。
【符号の説明】
【００１６】
１…ラップフィルム収納カートン
２…カートン本体
３…前面部
４…底面部
５…後面部
６…側面部
９…垂れ壁部
１０…フィルム巻き体収納空間
１１…切断刃
１２…横垂れ壁部
１６…傾斜面部
１７…折り罫
２０…起立片
Ａ…フィルム巻き体
Ｂ…ラップフィルム
【図１】
2005022746.tif 000003
【図２】
2005022746.tif 000004
【図３】
2005022746.tif 000005
【図４】
2005022746.tif 000006
【図５】
2005022746.tif 000007
【図６】
2005022746.tif 000008
【図７】
2005022746.tif 000009
【図８】
2005022746.tif 000010
【図９】
2005022746.tif 000011
【図１０】
2005022746.tif 000012
【図１１】
2005022746.tif 000013
【図１２】
2005022746.tif 000014
【図１３】
2005022746.tif 000015
【図１４】
2005022746.tif 000016